(57)【特許請求の範囲】
【請求項１】
刃枠に複数の外刃用穴を設け、各々の外刃用穴内に任意の方向に傾動可能に外刃を配置すると共に、該外刃の内側に、外方に突出する向きに付勢され内刃駆動軸に連携して回転駆動される内刃を装着した回転式電気かみそりにおいて、
前記刃枠の電気かみそりの本体側の内側に刃押さえ板を支持し、
該刃押さえ板の前記外刃用穴の各々に対応する位置に各々支点板を傾動可能に軸支し、
該支点板の各々に、前記刃押さえ板による前記支点板の軸支方向と直交する方向に外刃固定リングを軸支すると共に、該外刃固定リングを介して前記外刃を前記支点板に傾動可能に支持し、
前記刃押さえ板に、先端が前記外刃固定リングの底面に当接し、前記刃押さえ板と前記外刃固定リングとの間を弾発する板バネを設け、
前記刃押さえ板の前記外刃用穴の各々に対応する位置に、ピボット軸を設けた一対の支持部を形成すると共に、前記支点板に長孔の係合孔を形成した一対の係合片を形成し、前記ピボット軸を前記係合孔に係合して前記外刃を昇降可能に支持し、
前記各々の支点板を軸支する軸支方向を前記刃枠の中心を基準とする経線上に配置すると共に、前記外刃固定リングを軸支する軸支方向を前記経線に直交する方向に配置し、
前記板バネの前記外刃固定リングの底面に当接する位置を、前記外刃固定リングを軸支する軸支位置に対し前記刃枠の中心を基準とする経線方向に偏位させることにより、前記外刃の初期状態における傾きを設定可能としたことを特徴とする回転式電気かみそり。
【請求項２】
前記板バネは、前記刃押さえ板に脱着可能に装着されていることを特徴とする請求項１記載の回転式電気かみそり。
【請求項３】
前記外刃は、前記外刃用穴内で傾動自在な外刃ケースに支持され、該外刃ケースが前記外刃固定リングに支持されていることを特徴とする請求項１または２記載の回転式電気かみそり。
【請求項４】
前記刃押さえ板は、前記刃枠に対して常時は前記外刃を外方に突出する向きに付勢されて昇降可能に設けられていることを特徴とする請求項１、２または３記載の回転式電気かみそり。
【発明の詳細な説明】
【０００１】
【発明の属する技術分野】
本発明は回転式電気かみそりに関し、より詳細には回転式電気かみそりの外刃を刃枠に傾動可能に支持する構造に関する。
【０００２】
【従来の技術】
図９は回転式電気かみそりの従来例の全体構成を示す斜視図である。この電気かみそり１０は本体ケース１２の上部に、刃ヘッド部２０を脱着自在に装着してなる。刃ヘッド部２０には中心が正三角形の頂点の位置となる配置で３つの外刃２２が装着されている。外刃２２には髭を導入するためのスリットが径方向に多数個設けられるとともに、円環状の外周髭導入領域Ｖと内周髭導入領域Ｗとが同心に形成され、外周髭導入領域Ｖと内周髭導入領域との境界部分に溝が形成されている。
【０００３】
図１０に上記回転式電気かみそりの内部構成を示す。刃ヘッド部２０は、刃枠３０と、金属製の外刃２２と、外刃２２を保持する外刃ホルダ２４と、金属製の内刃２６と、内刃２６を支持する内刃基台２８と、内刃２６を回転自在に保持する刃押さえ板３１とから構成される。刃枠３０、外刃ホルダ２４、内刃基台２８及び刃押さえ板３１はいずれも合成樹脂製である。なお、外刃２２は内刃２６とともに回転しないよう外刃ホルダ２４に対して回転不能に支持される。
【０００４】
３２は本体ケース１２の開口部を覆うように設けた刃受け台である。刃受け台３２からは、内刃２６にモータ５０からの回転駆動力を伝達するための内刃駆動軸３４が、各々の内刃２６の配置位置に合わせて突出する。内刃駆動軸３４は内刃基台２８と同軸で凹凸嵌合し、これによって内刃駆動軸３４と内刃基台２８とは一体で回転する。
３６は内刃駆動軸３４を常時上方に付勢するスプリングである。このスプリング３６により、外刃２２は内刃２６、内刃基台２８及び内刃駆動軸３４を介してフローティングして支持される。
【０００５】
内刃駆動軸３４とモータ５０との連携は、内刃駆動軸３４の下端外周に設けた係合突起 ３８と、内刃駆動歯車４０に立設した複数の軸係止部４２とが係合し、内刃駆動歯車４０とモータ５０の出力軸に固定した歯車５２とが噛合することによってなされ。なお、内刃駆動軸３４は内刃駆動歯車４０の軸線に対して全方向に傾動可能である。
【０００６】
【発明が解決しようとする課題】
上述したように、外刃２２はスプリング３６により外方に突出する向きに付勢して支持され外刃ホルダ２４から突出入可能であり、外刃ホルダ２４内で全方向へ所定角度範囲内で傾動可能である。図１０に示すように、外刃２２は外刃用穴４４内に装着されるが、外刃用穴４４の内径は外刃２２の外径よりも若干大径に形成されており、外刃２２は外刃用穴４４に対して突出入可能であるとともに、任意の方向へ所定の角度範囲内で傾動可能となっている。
【０００７】
このように、外刃２２がを刃枠３０に傾動可能にかつ突出入可能に支持したことにより、顎、頬等に電気かみそりを当てた際に、外刃２２が適度に突出入し、任意の方向に傾動することによって、皮膚に外刃２２がフィットして確実に髭を剃ることが可能になる。
従来の電気かみそりで、外刃２２が刃枠３０に対して傾動可能であるのは、上述したように、外刃用穴４４の内径を外刃２２の外径よりも若干大径に形成し、このクリアランス分によって傾動可能となるようにしたことによる。
【０００８】
しかしながら、従来の電気かみそりでは、外刃用穴４４と外刃２２とのクリアランスはさほど大きくとられておらず、このクリアランス分によって外刃２２を傾動させた場合でもそれほど大きく傾動させることはできないという問題があった。外刃２２と外刃用穴４４とのクリアランスをむやみに大きくとると、外刃２２と外刃用穴４４との間のガタによって外刃２２の中心位置が定まりにくくなり、内刃２６の回転が不安定になるという問題があるからである。
【０００９】
図１１に、従来品で外刃２２が傾動する様子を示す。図１１(a)は、外刃２２が外刃用穴４４と若干隙間をあけて配置された状態を示し、図１１(b)は、外刃２２が外刃用穴４４内で傾動した状態を示す。図１１(b)に示すように、外刃用穴４４内で外刃２２が傾動した場合、従来は外刃２２の下端縁に設けた突縁部２１が外刃用穴４４の下面に当接すると、その状態から外刃２２はさらに傾動することができず、外刃２２の傾動角度が規制されることになる。このように、従来の電気かみそりでは外刃２２と外刃用穴４４との位置関係によって外刃２２の傾動角度が規制されるため、外刃２２の傾動範囲を広くとることが難しいという問題があった。
【００１０】
本発明はこれらの問題点を解消すべくなされたものであり、その目的とするところは、外刃を刃枠に対して軸線方向に可動にかつ傾動可能に支持するとともに、従来品にくらべて外刃の傾動角度を大きくとることを可能にし、これによって皮膚と外刃とのフィット性を良好にして剃り味の良い回転式電気かみそりを提供するにある。
【００１１】
【課題を解決するための手段】
上記目的を達成するため、本発明は次の構成を備える。
すなわち、刃枠に複数の外刃用穴を設け、各々の外刃用穴内に任意の方向に傾動可能に外刃を配置すると共に、該外刃の内側に、外方に突出する向きに付勢され内刃駆動軸に連携して回転駆動される内刃を装着した回転式電気かみそりにおいて、前記刃枠の電気かみそりの本体側の内側に刃押さえ板を支持し、該刃押さえ板の前記外刃用穴の各々に対応する位置に各々支点板を傾動可能に軸支し、該支点板の各々に、前記刃押さえ板による前記支点板の軸支方向と直交する方向に外刃固定リングを軸支すると共に、該外刃固定リングを介して前記外刃を前記支点板に傾動可能に支持し、前記刃押さえ板に、先端が前記外刃固定リングの底面に当接し、前記刃押さえ板と前記外刃固定リングとの間を弾発する板バネを設け、前記刃押さえ板の前記外刃用穴の各々に対応する位置に、ピボット軸を設けた一対の支持部を形成すると共に、前記支点板に長孔の係合孔を形成した一対の係合片を形成し、前記ピボット軸を前記係合孔に係合して前記外刃を昇降可能に支持し、前記各々の支点板を軸支する軸支方向を前記刃枠の中心を基準とする経線上に配置すると共に、前記外刃固定リングを軸支する軸支方向を前記経線に直交する方向に配置し、前記板バネの前記外刃固定リングの底面に当接する位置を、前記外刃固定リングを軸支する軸支位置に対し前記刃枠の中心を基準とする経線方向に偏位させることにより、前記外刃の初期状態における傾きを設定可能としたことを特徴とする。
【００１２】
また、前記板バネは、前記刃押さえ板に脱着可能に装着されていることを特徴とする。また、前記外刃は、前記外刃用穴内で傾動自在な外刃ケースに支持され、該外刃ケースが前記外刃固定リングに支持されていることを特徴とする。また、前記刃押さえ板は、前記刃枠に対して常時は前記外刃を外方に突出する向きに付勢されて昇降可能に設けられていることを特徴とする。
【００１３】
【発明の実施の形態】
以下、本発明に係る回転式電気かみそりの好適な実施の形態を添付図面に基づいて詳細に説明する。
本発明に係る回転式電気かみそりは、刃枠３０に形成した外刃用穴４４内に、互いに直交して配置された一対のピボット軸を介して外刃２２を傾動可能に支持したことを特徴とする。
図１は、ピボット軸を介して外刃２２を刃枠３０に支持する概念図を示す。刃枠３０には正三角形の頂点の位置に中心位置を配置した位置関係で３個の外刃２２が装着されている。
【００１４】
図のＡ位置とＢ位置はピボット軸を配置する位置を示すもので、外刃２２を傾動可能に支持するピボット軸は、各々の外刃２２の中心点を通過して互いに直交する配置に設ける。本実施形態では、一方のピボット軸（Ａ位置）をその軸方向が３個の外刃２２の配置中心Ｏを基準として経線方向に直交となる配置とし、他方のピボット軸（Ｂ位置）を、その軸方向が前記経線上に位置するようにする。外刃２２を互いに直交する配置のピボット軸によって支持することにより、外刃２２は全方位に任意の角度で傾動可能となる。本実施形態ではピボット軸の方向を上記のように外刃２２の配置中心Ｏに対して同等配置としてどの方向からの使用についても同等の使用感が得られるようにしている。
【００１５】
図１に示すように、刃枠３０に取り付ける外刃２２を互いに直交する配置のピボット軸によって支持した場合は、外刃２２は任意の方向に傾動可能となるから、皮膚に外刃２２を好適にフィットさせて髭剃りすることができる。図２は、刃枠３０に対して外刃２２が傾動した様子を示す。各々の外刃２２は独立して傾動可能であるから、剃り位置に合わせて各々の外刃２２が任意に傾動して皮膚にフィットするようになる。ピボット軸によって外刃２２を支持した場合は、従来のように外刃２２が傾動した際に外刃２２の突縁部２１が刃枠３０に当接して傾動が規制されることがない。また、ピボット軸によって支持した場合は、外刃２２の一方側が下がると他方側が上がる関係になることから大きな傾動角度が容易に得られるという利点がある。
【００１６】
図３はピボット軸によって外刃２２を支持する具体的な構成例を示す。本実施形態の回転式電気かみそりでは、外周面を球面状に形成した外刃ケース６０に外刃２２を支持し、外刃２２を収納する刃枠３０の外刃用穴４４の内壁面を外刃ケース６０の外周面が摺接する摺接面に形成し、外刃２２が任意の方向に傾動可能とする。
同図で７０は外刃ケース６０を係止する外刃固定リング、８０は外刃固定リング７０を第１のピボット軸８４ａを介して支持する支点板、９０は支点板８０を第２のピボット軸９４ａを介して支持する刃押さえ板である。刃押さえ板９０はねじ１００により刃枠３０の下面に固定され、支点板８０を支持する。本実施形態では外刃ケース６０及び外刃固定リング７０が外刃２２を支持する支持部材を構成する。
【００１７】
なお、モータ５０によって内刃２６を回転駆動する構成は従来と同様である。モータ５０の出力軸に取り付けた歯車５２と内刃駆動歯車４０とが歯合し、係合突起３８と内刃駆動軸３４とが係合することにより、モータ５０の駆動力が内刃２６の回転駆動力として伝達される。内刃２６はまた、内刃駆動軸３４と内刃駆動歯車４０との間を弾発するスプリング３６により、外刃２２の内面に押接する向きに付勢されている。
【００１８】
上述したように、外刃ケース６０に支持された外刃２２は、刃押さえ板９０、支点板８０、外刃固定リング７０を相互に係合して傾動可能に支持される。図４はこれらの各部品の組立斜視図を示す。同図は、刃押さえ板９０の上に支点板８０を取り付け、支点板８０の上に外刃固定リング７０を取り付け、外刃固定リング７０の上に外刃ケース６０を取り付けて組み立てることを示す。図では、刃押さえ板９０に形成された刃押さえ部９０ａに支点板８０、外刃固定リング７０、外刃ケース６０を取り付ける方法を示すが、３つの刃押さえ部９０ａ、９０ｂ、９０ｃの各々に同様の方法で支点板８０、外刃固定リング７０、外刃ケース６０が取り付けられる。なお、内刃２６は外刃固定リング７０と外刃２２との間に挟まれた外刃ケース６０の内部に収容される。
【００１９】
図５(a)及び(b)は刃押さえ板９０の平面図及び側面図である。図５(a)に示すように、刃押さえ板９０には正三角形の頂点位置に配置される３つの外刃２２の配置位置に合わせて、平面内で互いに１２０°の角度をなす３つの分岐片に形成した刃押さえ部９０ａ、９０ｂ、９０ｃが形成されている。刃押さえ部９０ａ、９０ｂ、９０ｃの基部は連結部９２によって互いに連結され、各々の刃押さえ部９０ａ、９０ｂ、９０ｃには円形の透孔９３が形成されている。
【００２０】
９４は各々の刃押さえ部９０ａ、９０ｂ、９０ｃの透孔９３の内縁位置に起立形状に形成した第２の支持部である。図５(b)に、刃押さえ部９０ａ、９０ｂ、９０ｃに第２の支持部９４が起立形状に形成されている様子を示す。第２の支持部９４は支点板８０をピボット支持するためのもので、各々の第２の支持部９４の内壁面から突出する突起状の第２のピボット軸９４ａを形成している。図５(a)に示すように、本実施形態では第２の支持部９４は、連結部９２の中心と透孔９３の中心を結ぶ直線上に位置するよう各々の刃押さえ部９０ａ、９０ｂ、９０ｃに一対ずつ配置している。
【００２１】
連結部９２の中央にはねじ１００を取り付ける取り付け孔が形成されている。図４では取り付け孔にねじ１００を取り付けた状態を示す。
９６は連結部９２にねじ１００を介して取り付けた板バネである。この板バネ９６は外刃固定リング７０の下面に当接して外刃２２を上方に付勢する作用と、３個の外刃固定リング７０をともに外向きに傾斜した状態で支持する作用を有する。板バネ９６はねじ１００による取り付け位置から三方に各々２本ずつ連結部９２上を横切るように配置し、連結部９２を横切った位置から各々の刃押さえ部９０ａ、９０ｂ、９０ｃの側方に沿って斜め上方に延出する。９６ａが板バネ９６の延出片部である。延出片部９６ａの最先端部は刃押さえ板９０の平面と略平行となるように若干屈曲している。
【００２２】
図６は刃押さえ板９０に取り付ける支点板８０の平面図と側面図を示す。支点板８０は円形のリング状に形成したリング部８２に、各々一対の第１の支持部８４と係合片８６を起立形状に形成して成る。第１の支持部８４と係合片８６は互いに直交配置となるように形成され、係合片８６が刃押さえ板９０に設けた第２の支持部９４と係合可能に形成されている。
図６(b)に示すように、係合片８６には上下方向に伸びる長孔である係合孔８６ａが形成されている。係合孔８６ａは第２の支持部９４に設けた第２のピボット軸９４ａが挿入可能な孔寸法に形成され、第２のピボット軸９４ａを係合孔８６ａに係合させることによって刃押さえ板９０に支点板８０が支持される。
【００２３】
支点板８０のリング部８２は、外径寸法が刃押さえ部９０ａ、９０ｂ、９０ｃに形成された透孔９３の内径寸法よりも若干小径に形成され、支点板８０の係合片８６の外側面は第２の支持部９４の内側面に摺接する。これによって支点板８０は、第２のピボット軸９４ａに係合して傾動可能かつ長孔の係合孔８６ａの移動範囲内で上下方向に移動可能となっている。支点板８０を上下方向に移動可能としているのは、髭剃り時に外刃２２（合わせて内刃２６）を沈み込ませることができるようにするためである。
【００２４】
なお、外刃２２は内刃駆動軸３４に装着されたスプリング３６と前述した板バネ９６の付勢力によって常時上方に付勢されているから、支点板８０も外刃固定リング７０を介して上方に付勢され、常時は第２のピボット軸９４ａが係合孔８６ａの最下部に当接する位置にある。すなわち、支点板８０は常時は第２のピボット軸９４ａが係合孔８６ａの最下端に当接する上位置にあり、ピボット軸９４ａを軸として傾動可能となる。第２のピボット軸９４ａが係合孔８６ａの最下端に当接している状態が最も安定してピボット支持されるが、係合孔８６ａの中途位置に第２のピボット軸９４ａが位置している場合でも所要のピボット支持効果が得られる。本実施形態では、第２のピボット軸９４ａを係合穴８６ａの最下端に当接させる作用はスプリング３６と板バネ９６の付勢力によるが、場合によっては板バネ９６を省略してスプリング３６のみによることもできる。
【００２５】
支点板８０のリング部８２に形成される第１の支持部８４は外刃固定リング７０を傾動可能に支持するためのもので、図６(b)に示すように、リング部８２に起立形状に形成するとともに、第１の支持部８４の上部外側面に突起状の第１のピボット軸８４ａを形成する。この第１のピボット軸８４ａは外刃固定リング７０の外側面に形成した係合凹部７２に係合し、外刃固定リング７０を傾動可能に支持する。
【００２６】
図７(a)、(b)に外刃固定リング７０の平面図と側面図を示す。外刃固定リング７０は短い筒状に形成した筒状部７４と、筒状部７４の内側に形成した内刃支持部７６と、下縁部に形成したフランジ部７８とを有する。係合凹部７２は図７(b)に示すように、フランジ部７６と筒状部７４の外側面に形成したものである。係合凹部７２はその上端部を前記第１のピボット軸８４ａが嵌入して回動する円形の溝部７２ａに形成するとともに、その下部側を溝部７２ａよりも広幅に開口する開口部に形成する。これにより、支点板８０の第１のピボット軸８４ａを係合凹部７２の下方から挿入し、円形の溝部７２ａにクリック的に係合させて外刃固定リング７０を支点板８０に支持することができる。
【００２７】
支点板８０の第１ピボット軸８４ａを外刃固定リング７０に係止した状態は、外刃固定リング７０が第１ピボット軸８４ａを軸として傾動可能に軸支された状態である。図７(b)で、７９は外刃固定リング７０に外刃ケース６０を組み付けた際に作用するストッパである。外刃ケース６０を外刃固定リング７０に被せて押圧するようにすることによって、外刃固定リング７０に外刃ケース６０が嵌着される。
【００２８】
図３は、上記のようにして、刃押さえ板９０に支点板８０を取り付け、支点板８０に外刃固定リング７０を取り付け、外刃固定リング７０に外刃ケース６０を取り付けた状態を示している。同図はＣ−Ｃ線を挟む左右に、中心線を挟んで断面方向が９０°異なる配置での断面図を示している。
上述したように、刃押さえ板９０がねじ１００によって刃枠３０に固定されていること、支点板８０と刃押さえ板９０とは、支点板８０の係合片８６に設けた係合孔８６ａに刃押さえ板９０の第２のピボット軸９４ａが係合して支持されていること、支点板８０と外刃固定リング７０とは支点板８０の第１のピボット軸８４ａが外刃固定リング７０の係合凹部７２に係合して支持されていることを示す。
【００２９】
板バネ９６の先端は外刃固定リング７０の底面に当接し、刃押さえ板９０と外刃固定リング７０との間を弾発する。外刃固定リング７０は第１のピボット軸８４ａを介して傾動可能に支持されるから、板バネ９６が外刃固定リング７０の下面に当接する位置を、第１のピボット軸８４ａとの相対位置関係で適宜設定することによって、使用時における初期状態の外刃２２の傾きを設定することができる。すなわち、板バネ９６が外刃固定リング７０に当接する位置を、対となっている第１のピボット軸８４ａを結ぶ線よりも中心寄り（３個の外刃が配置される正三角形の中心へ寄った位置）に設定すると、外刃２２の初期状態は中心側が高位となり外側が低位となるよう傾斜した状態になる。また、逆に、板バネ９６が外刃固定リング７０に当接する位置を、対となっている第１のピボット軸８４ａを結ぶ線よりも外側に設定すると、外刃２２は中心側が低位となり外側が高位となるように傾斜した状態が初期状態になる。
【００３０】
図２はこのような外刃２２の傾き状態を示している。初期状態において外刃２２を傾けた状態にしておくと、髭剃り時に皮膚に外刃２２があたってフィットしやすくなるという利点がある。たとえば、図２(b)に示すように、初期状態で外側が低位となるように外刃２２を傾けておくと、髭剃り開始時に３個の外刃２２のいずれも皮膚にあたってすべての外刃２２が皮膚にフィットしやすくなる。
【００３１】
本実施形態の回転式電気かみそりの構成において最も特徴とする点は、刃枠３０に支持される３個の外刃２２が、互いに直交配置された第１のピボット軸８４ａと第２のピボット軸９４ａを介して任意の方向に傾動可能に支持されている点である。すなわち、外刃２２は、刃押さえ板９０の第２ピボット軸９４ａにより支点板８０が傾動自在に支持され、支点板８０の第１ピボット軸８４ａにより外刃固定リング７０が傾動自在に支持されることによって、直交する２つの軸によりピボット支持され、これによって任意の方向に傾動可能となっている。
【００３２】
図８に、第１ピボット軸８４ａと第２ピボット軸９４ａの平面配置を示す。第１ピボット軸８４ａと第２ピボット軸９４ａは、図のように平面配置ではその軸が互いに直交するが、高さ方向には図３に示すように、軸の位置が若干異なっている。これは、本実施形態では、外刃２２（合わせて内刃２６）を沈み込み可能とするため第２ピボット軸９４ａを長孔の係合孔８６ａに係合するように構成したためである。本実施形態の構成とした場合でも外刃２２の傾動が実際上で問題になることはなく、外刃２２の沈み込みを可能とした点で有効である。ピボット支持により外刃２２自体が回転することも防止される。
【００３３】
なお、第２のピボット軸９４ａは必ずしも上下に移動しなければならないものではなく、第２のピボット軸９４ａを支点板８０の係合片８６に上下動しない状態で軸支する構成とすることもできる。この場合は第１のピボット軸８４ａと第２のピボット軸９４ａとを同一高さ位置に設定して、全方位に均等に傾動可能とすることが可能である。また、外刃２２を沈み込み可能とするため、刃押さえ板９０を常時は外刃２２を外方に突出する向きに付勢して刃枠３０に対し昇降可能に設けるようにするのがよい。刃押さえ板９０をねじ１００により刃枠３０に支持する際にスプリングを介して刃押さえ板９０を取り付けることによって刃押さえ板９０をフローティングさせて支持することができる。
【００３４】
なお、上記実施形態では刃枠３０に正三角形の頂点位置に３個の外刃２２を配置した例について述べたが、外刃を２個以上刃枠３０に配置する回転式電気かみそりについては、上述したように、各々の外刃を互いに直交する２つのピボット軸によって支持する構成とすることが有効である。複数の外刃を装着した電気かみそりの場合には外刃の傾動方向を全方位に傾動可能とすることは外刃を皮膚にフィットさせて髭剃りの使用感を向上させる点で有効である。
【００３５】
【発明の効果】
本発明に係る回転式電気かみそりによれば、上述したように、互いに直交する配置に設けられたピボット軸を介して外刃を支持したことにより、外刃を全方位に任意に傾動させることができ、皮膚に容易にフィットさせることができ、また、板バネが外刃固定リングの下面に当接する位置を調節することによって、使用時の初期状態における外刃の傾きが設定できることから、剃り味の良い電気かみそりとして提供することができる等の著効を奏する。
【図面の簡単な説明】
【図１】外刃をピボット軸を介して刃枠に支持する配置例を示す説明図である。
【図２】刃枠に対して外刃が傾動した状態を示す説明図である。
【図３】刃押さえ板に支点板を介して外刃を支持した状態の断面図である。
【図４】刃押さえ板に支点板、外刃固定リング、外刃ケースを取り付ける組み立て斜視図である。
【図５】刃押さえ板の平面図及び側面図である。
【図６】支点板の平面図及び側面図である。
【図７】外刃固定リングの平面図及び側面図である。
【図８】ピボット軸の平面配置を示す説明図である。
【図９】従来の回転式電気かみそりの外観図である。
【図１０】従来の回転式電気かみそりの内部構成を示す断面図である。
【図１１】従来の回転式電気かみそりで外刃が傾動した状態を示す説明図である。
【符号の説明】
１０  電気かみそり
１２  本体ケース
２０  刃ヘッド部
２１  突縁部
２２  外刃
２６  内刃
２８  内刃基台
３０  刃枠
３１  刃押さえ板
３２  刃受け台
３４  内刃駆動軸
３６  スプリング
３８  係合突起
４０  内刃駆動歯車
４４  外刃用穴
５０  モータ
５２  歯車
６０  外刃ケース
７０  外刃固定リング
７２  係合凹部
７２ａ  溝部
７４  筒状部
８０  支点板
８２  リング部
８４  第１の支持部
８４ａ  第１のピボット軸
８６  係合片
８６ａ  係合孔
９０  刃押さえ板
９０ａ、９０ｂ、９０ｃ  刃押さえ部
９２  連結部
９３  透孔
９４  第２の支持部
９４ａ  第２のピボット軸
９６  板バネ
１００  ねじ
【図１】
0004635166.tif 000002
【図２】
0004635166.tif 000003
【図３】
0004635166.tif 000004
【図４】
0004635166.tif 000005
【図５】
0004635166.tif 000006
【図６】
0004635166.tif 000007
【図７】
0004635166.tif 000008
【図８】
0004635166.tif 000009
【図９】
0004635166.tif 000010
【図１０】
0004635166.tif 000011
【図１１】
0004635166.tif 000012